(57)【要約】【課題】スピーカの破壊行為を有効に防止しつつ、その音質や音量の低下を抑制することができるスピーカユニット及びそれを用いた遊技機を提供すること。【解決手段】このスピーカユニット１６は、通電に基づき音声を発生させる振動板２０ｂを前面側に有するスピーカ２０と、振動板２０ｂの前方に配置され、スリット１７ａを有して振動板２０ｂを覆うように保護するスピーカグリル部１７と、スピーカグリル部１７と振動板２０ｂとの間に配置され、振動板２０ｂの前方で継続的に、断続的に又は繰り返して移動を行うファン部材１８とを有する。【選択図】図２
2009050470.tif 000002
【特許請求の範囲】
【請求項１】
通電に基づき音声を発生させる振動板を前面側に有するスピーカと、
該振動板の前方に配置され、孔を有して前記振動板を覆うように保護するスピーカグリル部と、
該スピーカグリル部と前記振動板との間に配置され、前記振動板の前方で継続的に、断続的に又は繰り返して移動を行う移動体と、を有するスピーカユニット。
【請求項２】
前記移動体を、
前記スピーカの通電時に移動させ、該スピーカの断電時に停止させる移動体制御手段を更に有する請求項１に記載のスピーカユニット。
【請求項３】
前記移動体の移動速度又は移動方向の少なくともいずれか一方を変更する変更手段を更に有する請求項１に記載のスピーカユニット。
【請求項４】
前記移動体の停止に基づき異常を報知する異常報知手段を更に有する請求項１に記載のスピーカユニット。
【請求項５】
前記移動体が、前後方向を回転軸方向とする回転体である請求項１に記載のスピーカユニット。
【請求項６】
前後方向に沿って複数の回転体が配置され、かつ該複数の回転体のうち少なくとも１の回転体の回転方向又は回転速度が他の回転体の回転方向又は回転速度と異なる請求項４に記載のスピーカユニット。
【請求項７】
遊技媒体による遊技を演出する遊技装置体と、
該遊技装置体を視認可能に内部に保持する枠体と、
前記遊技装置体に対して一定距離以上離間して配置された前面透明板と、
前記スピーカグリルが前記枠体前面に配置されている請求項１から請求項６のうちいずれか１項に記載のスピーカユニットと、を有する遊技機。
【発明の詳細な説明】
【技術分野】
【０００１】
本発明は、スピーカユニット及び遊技機に係り、特に不正行為によるスピーカの破壊を有効に防止しうるスピーカユニット等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内のゲージ（障害釘ともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
パチンコ機には、様々な装飾部材も取り付けられており、遊技の演出をより一層効果的なものとしている。例えば、パチンコ機の前面側や遊技盤面上には、多種多様な電飾（電球やＬＥＤ等。）や可動物が配置され、遊技の状況に応じて様々に動作したり点灯や点滅をしたりしている。また、パチンコ機の前面側にはスピーカも配置され、遊技の状況に応じて様々な音声（効果音や音楽を含む。）を発生している。
【０００４】
このパチンコ機においては、従来から遊技者による不正行為が問題となっている。例えば筐体枠の隙間から内部にピアノ線等の異物を侵入させ、内部の部品や機器を損壊したり、景品球を不正に入手することが行われている。その他にも、不正に磁場や電波を発生させてパチンコ機内部のセンサや電子機器に悪影響を与えて景品球を多量に入手することも行われている。
【０００５】
これらの不正行為を防止するため、パチンコ機には様々な不正検出手段が設けられている。そして、この不正検出手段が不正行為者の不正行為を検出すると、例えば、パチンコ機のスピーカが警告音を発し、付近の遊技者やパチンコホールのホール員に報知されるようになっている。したがって、スピーカからの警告音発生により不正行為の早期発見が可能となり、ひいては不正行為の未然防止に役立っている。
【０００６】
そのため、今度は不正行為者が警告音の発生を不可能にすべく、不正行為に先立ってスピーカの破壊を試みる。スピーカは一般に、パチンコ機の前面に多数の孔を有するスピーカグリルが配置され、その後方にスピーカの振動板が配置されて構成されている。不正行為者は、このスピーカグリルの孔からピアノ線等の異物を挿入し、振動板を破壊することにより警告音の発生を不可能とする。
【０００７】
このような、スピーカの破壊行為を防止するために、例えば特許文献１に開示のような考案が提案されている。この特許文献１に開示のものによれば、スリット状の細長溝（孔に相当。）の内側に沿って阻止片部を設けてピアノ線等の侵入を防止している。
【０００８】
【特許文献１】実開平７−１２１８３号公報
【発明の開示】
【発明が解決しようとする課題】
【０００９】
しかしながら、特許文献１に開示のものはスピーカグリル正面からの異物の挿入を多少困難にするが、例えば、ピアノ線を折り曲げて横方向や斜め方向から挿入するのを効果的に阻止することができない。そして、そのようにしてピアノ線等が挿入されたときに、その挿入を検知することができない。また、細長溝と阻止片部とによって、スピーカグリルの開口面積が著しく小さくなるので、音質や音量の低下を招いてしまう。
【００１０】
本発明は、上記の事情に鑑みて為されたもので、スピーカの破壊行為を有効に防止しつつ、その音質や音量の低下を抑制することができるスピーカユニット及びそれを用いた遊技機を提供することを例示的課題とする。
【課題を解決するための手段】
【００１１】
上記の課題を解決するために、本発明の例示的側面としてのスピーカユニットは、通電に基づき音声を発生させる振動板を前面側に有するスピーカと、振動板の前方に配置され、孔を有して振動板を覆うように保護するスピーカグリル部と、スピーカグリル部と振動板との間に配置され、振動板の前方で継続的に、断続的に又は繰り返して移動を行う移動体と、を有することを特徴とする。
【００１２】
スピーカグリル部と振動板との間に移動体が配置され、その移動体が振動板の前方で継続的に、断続的に又は繰り返して移動を行うので、スピーカグリル部の孔からピアノ線等の異物が挿入された場合であっても、その異物が振動板に到達する前に移動体によって到達が遮断され、振動板の破壊が有効に防止される。したがって、スピーカグリル部の孔から異物の挿入を困難にするという消極的な破壊防止でなく、異物が挿入されたとしてもその振動板への到達を阻止するという積極的な破壊防止が可能となる。
【００１３】
また、移動体の形状や移動速度、移動方向によって音場や音の位相を変化させることができ、スピーカから発生される音声に対してうねり効果や立体効果等の音響効果を付与することもできる。したがって、移動体の移動によって、聴取者は今までにない新しい音響効果を体験することができる。
【００１４】
異物の挿入を困難にするために孔の大きさを小さくしたり幅を狭くしたりする必要がないので、振動板からの音声がスムーズにスピーカグリル部から放出される。その結果、スピーカからの発生音の音質や音量の低下を最小限に抑制することができる。また、スピーカグリル部の外部側（すなわち、聴取者側。）のデザインの自由度も損なわずに済む。なお、ここで「前方」とは、スピーカからスピーカグリル部に向かう方向を言う。
【００１５】
移動体を、スピーカの通電時に移動させ、スピーカの断電時に停止させる移動体制御手段を更に有してもよい。スピーカの断電時は聴取者（不正行為者となり得る者。）がいないので、移動体の移動を停止させてもスピーカの破壊が行われない。したがって、その場合に移動体を停止させることにより、移動体の耐用期間を増大させたり消費電力を低減させたりすることができる。
【００１６】
移動体の移動速度又は移動方向の少なくともいずれか一方を変更する変更手段を更に有してもよい。移動体の移動速度、移動方向、又はそれらの両方が変更手段によって変更可能とされているので、移動体の移動の様子が不正行為者にとって予想し難い。したがって、スピーカの破壊行為を一層困難とすることができる。また、スピーカから発せられる音声に与える音響効果も、変化に富んだものとすることができ、聴取者に一層の新鮮みを与えることができる。
【００１７】
移動体の停止に基づき異常を報知する異常報知手段を更に有してもよい。例えば、異物が侵入されることによって、継続的に、断続的に又は繰り返して移動を行う移動体の移動が停止した場合に、その停止が異常であると検出されて異常報知手段が異常を報知するので、不正行為者によって挿入された異物によって移動体が停止した場合に、迅速かつ確実に異常報知を行うことができる。
【００１８】
移動体が、前後方向を回転軸方向とする回転体であってもよい。モータにより振動板の前方で回転体を連続回転させることにより、簡単な構造、少ない部品点数、かつ低コストにスピーカの破壊行為を阻止することができる。その回転体を一定の幅を有する回転羽根部材（ファン部材）とすることで、変化に富んだ音響効果を付与することができ、しかもこれを遊技機ホールに設置した場合には、遊技機ホール店内の空気の撹拌効果も得ることができる。
【００１９】
前後方向に沿って複数の回転体が配置され、かつ複数の回転体のうち少なくとも１の回転体の回転方向又は回転速度が他の回転体の回転方向又は回転速度と異なってもよい。
【００２０】
回転体を前後に複数配置し、それらの回転方向や回転速度を異ならせることにより、スピーカグリル部から挿入された異物が振動板にまで到達するのをより一層困難にすることができる。
【００２１】
本発明の他の例示的側面としての遊技機は、遊技媒体による遊技を演出する遊技装置体と、該遊技装置体を視認可能に内部に保持する枠体と、遊技装置体に対して一定距離以上離間して配置された前面透明板と、スピーカグリルが枠体前面に配置されている上記のスピーカユニットと、を有することを特徴とする。
【００２２】
この遊技機においては、スピーカグリル部と振動板との間に移動体が配置され、その移動体が振動板の前方で継続的に、断続的に又は繰り返して移動を行うので、スピーカグリル部の孔からピアノ線等の異物が挿入された場合であっても、その異物が振動板に到達する前に移動体によって到達が遮断され、振動板の破壊が有効に防止される。その結果、不正行為をスピーカからの警告音によって確実に報知することができ、ひいては不正行為そのものを排除することができ、安全で楽しい遊技機ホールの実現に寄与することができる。スピーカの損傷を防止することができるので、遊技機の耐用期間の増大やメンテナンスコストの低減にも寄与することができる。
【００２３】
また、移動体の形状や移動速度、移動方向によって音場や音の位相を変化させることができ、スピーカから発生される音声に対してうねり効果や立体効果等の音響効果を付与することもできる。したがって、移動体の移動によって、聴取者は今までにない新しい音響効果を体験することができ、新たな遊技演出によって遊技者に一層の興趣を与えることができる。
【００２４】
異物の挿入を困難にするために孔の大きさを小さくしたり幅を狭くしたりする必要がないので、振動板からの音声がスムーズにスピーカグリル部から放出される。その結果、スピーカからの発生音の音質や音量の低下を最小限に抑制することができる。また、スピーカグリル部の外部側（すなわち、聴取者側。）のデザインの自由度も損なわずに済む。
【００２５】
本発明の更なる目的又はその他の特徴は、以下添付図面を参照して説明される好ましい実施の形態によって明らかにされるであろう。
【発明の効果】
【００２６】
本発明によれば、スピーカグリル部の孔から異物が挿入された場合であっても、異物が振動板へ到達するのを移動体の移動によって積極的に阻止することができる。また、移動体の形状や移動速度、移動方向によって音場や音の位相を変化させることができ、新しい音響効果を生成することができる。加えて、スピーカからの発生音の音質や音量の低下を最小限に抑制しつつ、スピーカグリル部のデザインの自由度も損なわずに済む。
【発明を実施するための最良の形態】
【００２７】
［実施の形態１］
以下、本発明の実施の形態１について図面を用いて説明する。図１は、本発明の実施の形態１に係る遊技機としてのパチンコ機２の外観斜視図である。このパチンコ機２は、枠体３、遊技盤（遊技装置体）６、図柄表示装置７、前面ガラス（前面透明板）１０、発射ユニット（図示せず。）、貯留皿１４、スピーカユニット１６を有している。
【００２８】
なお、遊技機は、パチンコ機２の他にパチスロ機、パロット機、スロットマシン、アーケードマシン、各種ゲーム機を概念することができ、要するに、スピーカを有して音声発生するあらゆる遊技機が含まれる。なお、パチンコ機２においても、アレンジボール機、雀球機等の組合せ式パチンコ機、いわゆるセブン機等の景品球払出し式パチンコ機等のあらゆるパチンコ機が概念できるが、本実施の形態１においては、景品球払出し式のいわゆるセブン機について例示説明する。
【００２９】
枠体３は、後述する遊技盤６を内部に保持するためのもので、このパチンコ機２の周囲及び前方を囲むように構成される。枠体３の内部には、遊技盤６の他にも各種電子基板や遊技媒体用の経路等各種機構部品が配置され、周囲側面及び前面からのパチンコ機２内部への不正アクセスが防止されるようになっている。例えば、最後方に配置されてパチンコ機２の周囲を囲む筐体枠４、その前方にヒンジ部（揺動支持部）２２によって前方開閉可能に揺動支持されて遊技盤６を保持する機枠９、機枠９の更に前方にヒンジ部２２によって前方開閉可能に揺動支持されて前面ガラス１０とその周囲を装飾する装飾部材３２とを保持する装飾枠（前面枠）１２とを有して枠体が構成されるが、その詳細は説明を省略する。なお、前面ガラス１０は、枠体３内部に保持された遊技盤６を前方から遊技者が視認することができるようにするための透明部材であるが、詳細は後述する。
【００３０】
その装飾枠１２の上部左右２箇所には、装飾部材３２の一部としてスピーカグリル部１７が配置され、このスピーカグリル部１７と他の部品とを有してスピーカユニット１６が構成されるが、これらについては後述する。
【００３１】
遊技盤６は、このパチンコ機２において、遊技媒体としての球（パチンコ球）２３の流下による遊技を演出するためのものである。遊技盤６の表面（遊技盤面）６ａには、レール飾り２６が取り付けられている。レール飾り２６は、遊技盤面６ａを略円形状に囲み、その内側面（内周面）２６ａが遊技盤面６ａに対して立設配置されており、内側面２６ａの内側に遊技領域６ｂを画定している。その遊技領域６ｂ内には、球２３の流下による遊技に一層の演出性を付加するための図柄表示装置７、ゲージ２７、普通入賞口２８、特別入賞口２８ａ、始動入賞口２９、大入賞口２９ａ、アウト口３０、その他の各種役物（例えば、羽根車等。）等が配置されている。
【００３２】
その図柄表示装置７は、例えば、液晶表示装置・有機ＥＬディスプレイ・ＬＥＤ等により構成されてパチンコ機２の前方から視認可能に設けられ、その表示画面（映像表示面）７ａ上に映像表示を行う。この表示画面７ａ上には、例えば、３桁の数字又は文字等により構成される表示図柄７ｂが回転又は停止するように映像として表示される。また、例えば、キャラクター等によるストーリー仕立ての映像としての演出映像７ｃも表示画面７ａ上に表示されるようになっている。
【００３３】
球２３が遊技領域６ｂの上部に向けて発射されると、球２３が多数のゲージ２７に衝突してその流下方向を変えつつ遊技領域６ｂ内を下方に流下するようになっている。その流下の途中で、あるものは普通入賞口２８に入賞して一定数の景品球払出しの契機となり、あるものは特別入賞口２８ａに入賞して普通入賞口２８への入賞時よりも多数の景品球払出しの契機となり、あるものはいずれの入賞口にも入賞せずに遊技領域６ｂ内最下部に位置するアウト口３０からパチンコ機２の外部へと排出されるようになっている。
【００３４】
球２３が始動入賞口２９に入賞すると、図柄表示装置７の表示図柄７ｂが回転表示を開始する。そして、その表示図柄７ｂが所定の図柄（例えば、大当たりに対応する「７・７・７」。）で停止表示すれば、大入賞口２９ａが開放して多量の入賞球の受入れ及び多量の景品球の払出しが行われるようになっている。
【００３５】
前面ガラス１０は、遊技盤６に対して一定距離以上離間して配置された透明板である。前面ガラス１０は透明平板ガラスで形成されて装飾枠１２に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３６】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６と共に機枠９に保持されるように構成されていてもよい。
【００３７】
発射ユニットは、球供給装置（図示せず。）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００３８】
貯留皿１４は、遊技者の持ち球を貯留するためにパチンコ機２の前面に配置された皿部材であって、本実施の形態１においては上皿１４ａと下皿１４ｂとを有している。上皿１４ａは、遊技盤６の下方、すなわち装飾枠１２の下方部分に配置され、下皿１４ｂは、その上皿１４ａの更に下方に配置されている。もちろん上皿１４ａと下皿１４ｂとが一体となって１つの貯留皿１４が構成されていてもよい。
【００３９】
上皿１４ａは、景品球としてパチンコ機２から払い出された球２３を受け取る機能や、その球２３を球供給装置を介して発射ユニットに導くべく貯留する機能を有している。遊技終了時には、遊技者が球排出ボタン１４ｃを操作することにより、球２３を上皿１４ａから下皿１４ｂへと排出することができるようになっている。
【００４０】
スピーカユニット１６は、パチンコ機２の前面上部左右２箇所に配置されており、遊技に関して音楽、各種効果音、警告音等の音声を発生する機能を有している。図２は、このスピーカユニット１６の概略構成を示す分解斜視図である。スピーカユニット１６は、スピーカグリル部１７、ファン部材（移動体）１８、ファンモータ１９、スピーカ２０を有して大略構成されている。
【００４１】
スピーカグリル部１７は、パチンコ機２の枠体３の前面に配置されるもので、本実施の形態１においては装飾部材３２の一部として装飾枠１２の前面上部左右２箇所に配置されている。このスピーカグリル部１７は、後方のスピーカ２０を覆うように保護する機能とスピーカ２０からの音声を前方外部に向けて効率よく伝達させる機能を併せ持つ部材である。それらの機能を達成すべく、例えば、通気性に優れた布や繊維材料で構成される場合もあるが、本実施の形態１においては、プラスチック又は金属等の比較的堅固な材料で構成され、多数のスリット（孔）１７ａを有している。このスリット１７ａが多数形成され、充分な開口面積を確保しているので、スピーカ２０からの音声がスピーカグリル部１７によってその音質や音量を低下させてしまうことは殆どない。
【００４２】
ファン部材１８は、スピーカグリル部１７とスピーカ２０との間に配置された回転部材であり、その回転半径方向の寸法は、スピーカ２０の振動板２０ｂの半径寸法と略同様の寸法以上とされている。ファン部材１８は、ファンモータ１９によって連続的に回転駆動されるようになっており、その回転軸１９ａは前後方向、すなわち図２中のＸ方向に沿って配置されている。
【００４３】
ファン部材１８が、スピーカグリル部１７とスピーカ２０との間で連続的に回転しているので、不正行為者がスリット１７ａからピアノ線等の異物を挿入しても、その異物が回転中のファン部材１８に接触して弾かれてしまい、スピーカ２０にまで到達しない。したがって、異物によるスピーカ２０の破壊を有効に防止することができる。
【００４４】
スピーカ２０は、パチンコ機２の遊技に係る音楽、効果音、音声の他、各種の警告音やメッセージ情報等を音声発生するためのものである。スピーカ２０は、ボイスコイル２０ａ、振動板２０ｂを有しており、ボイスコイル２０ａに通電した際に発生する振動を振動板２０ｂによって空気中に伝播させるようになっている。そのため、振動板２０ｂは前方のスピーカグリル部１７に向けて配置されており、振動板２０ｂの前方にファン部材１８が配置されるようになっている。
【００４５】
振動板２０ｂの前方でファン部材１８が回転するので、スリット１７ａから挿入された異物が振動板２０ｂにまで到達することは殆どない。その上、ファン部材１８の回転によって、スピーカ２０からの音声に今までにない新しい音響効果を付与することもできる。空気撹拌効果によって、パチンコホール内の空気を循環させたり、遊技者に向けて風を送ったりする効果も期待することができる。
【００４６】
［変形例１］
なお、スピーカユニットとしては、様々な変形例を概念することができる。図３は、本発明の変形例１に係るスピーカユニット１１６の概略構成を示す分解斜視図である。このスピーカユニット１１６においては、スピーカグリル部１７とスピーカ２０との間にスリット１７ａの長手方向（図３中のＹ方向。）と直交する方向（図３中のＺ方向。）に延びるバー部材（移動体）１１８が配置されている。
【００４７】
このバー部材１１８は、モータ１１９及びタイミングベルト１１９ａによってＹ方向に沿って往復移動するように構成されている。したがって、スリット１７ａから異物が挿入されたとしてもバー部材１１８に接触して弾かれてしまい、その異物はスピーカ２０にまで到達しない。
【００４８】
［変形例２］
図４は、本発明の変形例２に係るスピーカユニット２１６の概略構成を示す分解斜視図である。このスピーカユニット２１６においては、スピーカグリル部１７とスピーカ２０との間にワイパー部材（移動体）２１８が配置されている。
【００４９】
このワイパー部材２１８は、モータ２１９によって図４中θ方向に往復揺動するように構成されており、その往復揺動によって、ワイパー部材２１８がスリット１７ａと交差するようになっている。したがって、スリット１７ａから異物が挿入されたとしてもワイパー部材２１８に接触して弾かれてしまい、その異物はスピーカ２０にまで到達しない。
【００５０】
［実施の形態２］
図５は、本発明の実施の形態２に係るパチンコ機２が有するスピーカユニット１６の概略構成を示すブロック構成図である。この実施の形態２において、実施の形態１と同様の構成については同様の符号を付し、その説明を省略する。
【００５１】
スピーカユニット１６は、ファンモータ１９のオンオフ、回転数及び回転方向を制御する制御手段（移動体制御手段、変更手段。）２１、ファン部材１８の回転停止を検出する回転センサ２１ａ、異常を報知する異常報知手段２１ｂを有し、各々図に示すように接続されている。
【００５２】
制御手段２１は、スピーカ２０を駆動する電源３３が通電状態であるか断電状態であるかを検知し、断電状態である場合にファンモータ１９に回転停止指令を送出し、又はファンモータ１９への電源供給を遮断する。それにより、パチンコ機２の非動作時やパチンコ機２の動作時であっても遊技者不在時にファンモータ１９の回転を停止することができ、不要な電力消費の低減やファンモータ１９及びファン部材１８の耐用期間増大に寄与することができる。
【００５３】
なお、パチンコ機２の前面に配置され、遊技者の存否を確認する遊技者センサやパチンコ機２の前方に配置された着席シートに配置され、遊技者の着座を確認する着座センサ等のセンサによって遊技者の不在を検知し、その検知結果に基づいてファンモータ１９の駆動を停止するように構成してもよい。
【００５４】
制御手段２１は、ファンモータ１９の回転数や回転方向を変更する変更手段としても機能するようになっている。すなわち、状況に応じてファン部材１８の回転速度が変化したり、回転方向が変化したりするように制御手段２１が制御するので、ファン部材１８の回転の様子が不正行為者にとって予測不可能となる。したがって、一層異物の挿入が困難となり、スピーカ２０の破壊を有効防止することができる。しかも、スピーカ２０から発せられる音声に付与される音響効果も予測不可能に変化するので、効果音等による興趣も一層増大することとなる。
【００５５】
なお、このファン部材１８の回転速度や回転方向が、遊技の状況に応じて変化するように、この制御手段２１とパチンコ機２の主基板（遊技制御基板、図示せず。）とを接続することにより、ファン部材１８を遊技演出体としても利用することができ、一層演出性の高いパチンコ機２とすることもできる。
【００５６】
回転センサ２１ａは、ファン部材１８の回転停止を検出するためのセンサである。ファン部材１８の回転駆動中にファン部材１８が停止すると、回転センサ２１ａはその停止を検出して異常報知手段２１ｂに異常信号を送出するようになっている。異常報知手段２１ｂは、異常信号を受信すると、接続されているスピーカ２０から警告音を発生させるとともに警告ランプ（図示せず。）を点灯させたり、このパチンコ機２が接続されているホールコンピュータ（図示せず。）に向けて異常信号を送出したりする。
【００５７】
ファン部材１８の回転中にスピーカグリル部１７から挿入された異物がファン部材１８の回転を停止させると、すぐに回転センサ２１ａによって検出されて異常報知されるので、スピーカ２０の破壊行為を迅速に検出し、かつ有効に防止することができる。もちろん、制御手段２１によるファンモータ１９の回転停止中は、回転センサ２１ａによる回転停止検出は行われないようになっている。
【００５８】
以上、本発明の好ましい実施の形態を説明したが、本発明はこれらに限定されるものではなく、その要旨の範囲内で様々な変形や変更が可能である。
【００５９】
例えば、上記実施の形態２において、ファン部材１８を前後方向に沿って２つ以上同軸に配置し、各々の回転数や回転方向を別々に変化させるように制御手段２１によって制御すれば、スピーカグリル部１７から挿入された異物を振動板２０ｂに到達させることが更に困難となり、スピーカ２０の破壊防止効果が一層効果的となる。もちろん音響効果による興趣もより一層増大することとなる。
【００６０】
また、上記実施の形態２においては、回転センサ２１ａによってファン部材１８の回転停止を検出し、その停止検出に基づいて異常と判断して異常報知手段２１ａが異常報知するようになっている。しかしもちろん、回転センサ２１ａを配置せずに、ファン部材１８の回転停止に起因するファンモータ１９の電流値・電圧値の異常（急上昇又は急低下）、異音の発生等に基づき異常を判断し、異常報知手段２１ａが異常報知するようになっていてもよい。
【図面の簡単な説明】
【００６１】
【図１】本発明の実施の形態１に係るパチンコ機の外観斜視図である。
【図２】図１に示すパチンコ機に用いられるスピーカユニットの概略構成を示す分解斜視図である。
【図３】本発明の変形例１に係るスピーカユニットの概略構成を示す分解斜視図である。
【図４】本発明の変形例２に係るスピーカユニットの概略構成を示す分解斜視図である。
【図５】本発明の実施の形態２に係るパチンコ機に用いられるスピーカユニットの概略構成を示す分解斜視図である。
【符号の説明】
【００６２】
Ｘ，Ｙ，Ｚ：方向
２：パチンコ機（遊技機）
３：枠体
４：筐体枠（枠体の一部）
６：遊技盤（遊技装置体）
６ａ：遊技盤面
６ｂ：遊技領域（流下領域）
７：図柄表示装置
７ａ：表示画面（映像表示面）
７ｂ：表示図柄
７ｃ：演出映像
９：機枠（枠体の一部）
１０：前面ガラス（前面透明板）
１２：装飾枠（前面枠、枠体の一部）
１４：貯留皿
１４ａ：上皿
１４ｂ：下皿
１４ｃ：球排出ボタン
１５：発射ハンドル
１６，１１６，２１６：スピーカユニット
１７：スピーカグリル部
１７ａ：スリット（孔）
１８：ファン部材（移動体）
１９：ファンモータ
１９ａ：回転軸
２０：スピーカ
２０ａ：ボイスコイル
２０ｂ：振動板
２１：制御手段（移動体制御手段、変更手段）
２１ａ：回転センサ
２１ｂ：異常報知手段
２２：ヒンジ部（揺動支持部）
２３：球（パチンコ球）
２６：レール飾り
２６ａ：内側面（内周面）
２７：ゲージ
２８：普通入賞口
２８ａ：特別入賞口
２９：始動入賞口
２９ａ：大入賞口
３０：アウト口
３２：装飾部材
３３：電源
１１８：バー部材（移動体）
１１９，２１９：モータ
１１９ａ：タイミングベルト
２１８：ワイパー部材（移動体）
【図１】
2009050470.tif 000003
【図２】
2009050470.tif 000004
【図３】
2009050470.tif 000005
【図４】
2009050470.tif 000006
【図５】
2009050470.tif 000007